(57)【特許請求の範囲】
【請求項１】
通信回線から侵入してくる過電圧・過電流が通信機器に流入することを防止する保安器サブモジュールにおいて、
複数のＵスリット端子と前記各Ｕスリット端子に接続された保安素子を搭載する二枚のプリント配線板と、
通線口から前記各Ｕスリット端子が配置される出口部に向けてジャンパ線をガイドする第１ガイドレールを有する通線口ユニットと、
内部に前記各Ｕスリット端子を配置し、前記二枚のプリント配線板間で前記通線口ユニットの出口部を挟み込んで保持し、前記第１ガイドレールに接続する第２ガイドレールを有するＵスリットハウジングとを備え、
前記第２ガイドレールの前記第１ガイドレールとの当接部を曲面形状としたことを特徴とする保安器サブモジュール。
【請求項２】
請求項１記載の保安器サブモジュールを用いた通信機器用保安器。
【請求項３】
複数のＵスリット端子を搭載する二枚のプリント配線板と、
通線口から前記各Ｕスリット端子が配置される出口部に向けてジャンパ線をガイドする第１ガイドレールを有する通線口ユニットと、
内部に前記各Ｕスリット端子を配置し、前記二枚のプリント配線板間で前記通線口ユニットの出口部を挟み込んで保持し、前記第１ガイドレールに接続する第２ガイドレールを有するＵスリットハウジングとを備え、
前記第２ガイドレールの前記第１ガイドレールとの当接部を曲面形状とした端子板。
【発明の詳細な説明】
【０００１】
【発明の属する技術分野】
本発明は、通信回線から侵入してくる過電圧・過電流が通信機器に流入することを防止する保安器サブモジュール、これを用いた通信機器用保安器、及び端子板に関する。
【０００２】
【従来の技術】
従来、通信回線から侵入してくる過電圧・過電流が通信機器に流入することを防止するために、電話局内などに通信機器用保安器が設定されている。この通信機器用保安器は、保安器サブモジュールを多段積みにして組立てたものである。
【０００３】
図４は、この保安器サブモジュールを説明するための図であり、（ａ）は平面図、（ｂ）は背面図、（ｃ）は正面図、（ｄ）は左側面図、（ｅ）は右側面図、（ｆ）は底面図をそれぞれ示している。図４に示すように、１００は保安器サブモジュール、１Ａ、１Ｂはプリント配線板、２はプリント配線板１Ａ、１Ｂに半田付けされた試験弾器ユニット３の接点端子である。４ａ、４ｂ、・・・、４ｎは保安素子、５及び６はそれぞれプリント配線板１Ａ、１Ｂに形成した表側の配線パターン及び裏側の配線パターン、７及び８はそれぞれプリント配線板１Ａ、１Ｂに形成した表側の接地パターン、裏側の接地パターン、９は加入者側のＵスリット端子、１０は交換機側の端子群である。また、１２はＵスリットハウジング、１３は通線口ユニット、１４はアースターミナル、１５１、１５２はフレーム、１６Ａ及び１６Ｂは交換機側コネクタである。これらの部品をもって、１６回線収容の保安器サブモジュール１００が形成される。
【０００４】
試験弾器ユニット３は、図示しない試験用プラグを挿入して接点を開いて通信回線の切離しを行うためのものである。保安素子４ａ、４ｂ、・・・、４ｎは、交換機側の出回線がサージ電圧等により絶縁破壊されるのを防止するためのものであり、Ｕスリット端子９の隣接箇所にプリント配線板１へ半田付けされる。配線パターン５、６は、試験弾器ユニット３と交換機側の端子とを電気的に接続させるためのものである。
【０００５】
Ｕスリット端子９は、入回線接続用端子として用いられており、保安素子４の隣接箇所に半田付けされ、保安素子４と電気的に接続される。Ｕスリットハウジング１２は、内部にＵスリット端子９が多数配置されるように構成される。通線口ユニット１３は、二枚のプリント配線板１Ａ、１Ｂの間でジャンパ線の整線を行うためのものである。この通線口ユニット１３は、二枚のプリント配線板１Ａ、１Ｂの間にサンドウィッチ形に挟んで取り付けられ、Ｕスリット端子９と回線毎に対応する。また、通線口ユニット１３は、図示は省略するが、通線口ユニットケースと通線口ユニットカバーから構成される。交換機側コネクタ１６Ａ、１６Ｂは、試験弾器ユニット３と電気的に接続され、交換機側の出力線接続端子として用いられる。また、交換機側コネクタ１６Ａ、１６Ｂは、２枚のプリント配線板１Ａ、１Ｂの間に挟み込まれた状態で保持され、この交換機側コネクタ１６の端子群はプリント配線板１Ａ、１Ｂに半田付けされる。
【０００６】
また、図５は、Ｕスリットハウジング１２と通線口ユニット１３の当接部を説明するための図である。また、図６は、図５で示したＵスリットハウジング１２と通線口ユニット１３の当接部の一部を拡大して示した図である。図５及び図６に示すように、１２はＵスリットハウジング、１５１、１５２はフレーム、１３は通線口ユニット、Ｊはジャンパ線、Ｐ１はＵスリットハウジング１２と通線口ユニット１３の当接部の一部をそれぞれ示している。
【０００７】
通線口ユニット１３は、ジャンパ線Ｊを挿入するための多数の通線口１３１を有し、また、内部には、複数の仕切り１３２によって形成される多数の第１ガイドレールＧ１を有する。また、図中０は第１ガイドレールが終了する出口部を示している。また、Ｕスリットハウジング１２の内部は、通線口ユニット１３の仕切り１３２に対応して、仕切り１２１が多数設けられ、この仕切り１２１によって、第１ガイドレールＧ１を延長する第２ガイドレールＧ２が形成される。保安器サブモジュールの組立時に、通線口ユニット１３の第１ガイドレールＧ１とＵスリットハウジング１２の第２ガイドレールＧ２とが当接され、通線口１３１からＵスリット端子９に向けてジャンパ線を通線させるためのガイドレールが形成される。
【０００８】
そして、作業者は、通線口ユニット１３の通線口１３１からジャンパ線Ｊを左手で挿入し、挿入されたジャンパ線Ｊは第１ガイドレールＧ１、第２ガイドレールＧ2を通って、Ｕスリットハウジング１２のジャンパ線出口１２２から出てくる。これを右手で受けて、Ｕスリットハウジング１２のＵスリットへジャンパ線Ｊを圧入してＵスリット端子９への結線が行われる。
【０００９】
【発明が解決しようとする課題】
しかしながら、通線口ユニット１３の仕切り１３２とＵスリットハウジング１２の仕切り１２１との当接部において、通線口ユニット１３の仕切り１３２とＵスリットハウジング１２の仕切りの双方における形成プラスチックの精度を確保したとしても、製造上のばらつきにより、Ｕスリットハウジング１２の仕切り１２１の当接部Ｔに、エッジが発生してしまう。その結果、ジャンパ線Ｊがガイドレールを通るときに、ジャンパ線Ｊの被覆が端部Ｔに引っかかり、配線作業がし難いという問題があった。
【００１０】
そこで、本発明は上記従来技術の問題点を解決し、ジャンパ線の配線作業を向上させた保安器サブモジュールを提供することを目的とする。
【００１１】
【課題を解決するための手段】
上記目的を達成するために、請求項１記載の保安器サブモジュールは、通信回線から侵入してくる過電圧・過電流が通信機器に流入することを防止する保安器サブモジュールにおいて、複数のＵスリット端子と各Ｕスリット端子に接続された保安素子を搭載する二枚のプリント配線板と、通線口から各Ｕスリット端子が配置される出口部に向けてジャンパ線をガイドする第１ガイドレールを有する通線口ユニットと、内部に各Ｕスリット端子を配置し、二枚のプリント配線板間で通線口ユニットの出口部を挟み込んで保持し、第１ガイドレールに接続する第２ガイドレールを有するＵスリットハウジングとを備え、第２ガイドレールの前記第１ガイドレールとの当接部を曲面形状としたことを特徴とするものである。
【００１２】
また、請求項２記載の通信機器用保安器は、請求項１記載の保安器サブモジュールを用いたものである。
【００１３】
また、請求項３記載の端子板は、複数のＵスリット端子を搭載する二枚のプリント配線板と、通線口から前記各Ｕスリット端子が配置される出口部に向けてジャンパ線をガイドする第１ガイドレールを有する通線口ユニットと、内部に各Ｕスリット端子を配置し、二枚のプリント配線板間で前記通線口ユニットの出口部を挟み込んで保持し、第１ガイドレールに接続する第２ガイドレールを有するＵスリットハウジングとを備え、第２ガイドレールの第１ガイドレールとの当接部を曲面形状としたものである。
【００１４】
【発明の実施の形態】
以下、本発明の実施の形態を、図面を参照して説明する。まず、図４を用いて本発明が適用される保安器サブモジュールについて説明する。図４において、（ａ）は平面図、（ｂ）は背面図、（ｃ）は正面図、（ｄ）は左側面図、（ｅ）は右側面図、（ｆ）は底面図をそれぞれ示している。
【００１５】
図４に示すように、１００は保安器サブモジュール、図４の１Ａ、１Ｂはプリント配線板、２はプリント配線板１Ａ、１Ｂに半田付けされた試験弾器ユニット３の接点端子である。４ａ、４ｂ、・・・、４ｎは保安素子、５及び６はそれぞれプリント配線板１Ａ、１Ｂに形成した表側の配線パターン及び裏側の配線パターン、７及び８はそれぞれプリント配線板１Ａ、１Ｂに形成した表側の接地パターン、裏側の接地パターン、９は加入者側のＵスリット端子、１０は交換機側の端子群である。
【００１６】
なお、詳細は省略するが、保安器サブモジュール１００は、プリント配線板１Ａ、プリント配線板１Ｂという勝手の違う２種類のプリント配線板で構成されている。プリント配線板１Ａ、プリント配線板１Ｂは、共に両面スルーホール基板で、保安素子４の搭載面を（Ａ）面、その裏面側を（Ｂ）面としている。
【００１７】
また、１２はＵスリットハウジング、１３は通線口ユニット、１４はアースターミナル、１５１、１５２はフレーム、１６Ａ及び１６Ｂは交換機側コネクタである。これらの部品をもって、１６回線収容の保安器サブモジュール１００が形成される。ここで、試験弾器ユニット３は、図示しない試験用プラグを挿入して接点を開いて通信回線の切離しを行うためのものである。なお、図４では、試験弾器ユニット３を設けた場合について説明しているが、これに限定されることなく、試験弾器ユニット３を設けない構成とすることもできる。
【００１８】
保安素子４ａ、４ｂ、・・・、４ｎは、交換機側の出回線がサージ電圧等により絶縁破壊されるのを防止するためのものであり、Ｕスリット端子９の隣接箇所にプリント配線板１へ半田付けされる。配線パターン５、６は、試験弾器ユニット３と交換機側の端子とを電気的に接続させるものである。Ｕスリット端子９は、入回線接続用端子として用いられ、保安素子４の隣接箇所に半田付けされ、保安素子４と電気的に接続される。
【００１９】
Ｕスリットハウジング１２は、内部にＵスリット端子９が配置されるように構成される。また、通線口ユニット１３は、二枚のプリント配線板１Ａ、１Ｂの間でジャンパ線の整線を行うためのものである。この通線口ユニット１３は、二枚のプリント配線板１Ａ、１Ｂの間にサンドウィッチ形に挟んで取り付けられ、Ｕスリット端子９と回線毎に対応する。また、通線口ユニット１３は、図示は省略するが、通線口ユニットケースと通線口ユニットカバーとから構成される。
【００２０】
交換機側コネクタ１６Ａ、１６Ｂは、試験弾器ユニット３と電気的に接続され、交換機側の出力線接続端子として用いられる。また、交換機側コネクタ１６Ａ、１６Ｂは、２枚のプリント配線板１Ａ、１Ｂの間に挟み込まれた状態で保持され、この交換機側コネクタ１６の端子はプリント配線板１Ａ、１Ｂに半田付けされる。また、図４では、１６回線分の通信回線に対応させるために交換機側コネクタを２つ設けている。Ｕスリットハウジング１２、フレーム１５１、フレーム１５２は、樹脂成形品で２枚のプリント配線板１を囲む形で組立てられ、１６回線単位の保安器サブモジュール１００が形成される。
【００２１】
また、図１は、Ｕスリットハウジング１２と通線口ユニット１３の当接部を説明するための図である。また、図２は、図１で示したＵスリットハウジング１２と通線口ユニット１３の当接部の一部を拡大して示した図である。図１及び図２に示すように、１２はＵスリットハウジング、１５１、１５２はフレーム、１３は通線口ユニット、Ｊはジャンパ線、Ｐ２はＵスリットハウジング１２と通線口ユニット１３の当接部の一部をそれぞれ示している。
【００２２】
通線口ユニット１３は、ジャンパ線Ｊを挿入するための多数の通線口１３１を有し、内部には、複数の仕切り１３２によって形成される多数の第１ガイドレールＧ１を有する。図中Oは第１ガイドレールＧ１の出口部を示している。ここで、第１ガイドレールＧ１は、通線口１３１から出口部Oに向けてジャンパ線Ｊをガイドするものである。また、Ｕスリットハウジング１２の内部は、通線口ユニット１３の仕切り１３２に対応して、仕切り２２１が多数設けられ、この仕切り２２１によって、第１ガイドレールＧ１を延長する第２ガイドレールＧ２が形成される。保安器サブモジュール１００の組立時に、通線口ユニット１３の第１ガイドレールＧ１とＵスリットハウジングの第２ガイドレールＧ２とが当接され、通線口１３１からＵスリット端子９に向けてジャンパ線を通線させるためのガイドレールが形成される。また、本実施の形態では、図２に示すように、Ｕスリットハウジング１２の仕切り２２１の当接部Ｔは、ジャンパ線のひっかかりを防止するために曲面形状として丸みを持たせている。
【００２３】
作業者は、通線口ユニット１３の通線口１３１からジャンパ線Ｊを左手で挿入し、挿入されたジャンパ線Ｊは第１ガイドレールＧ１を通り、当接部Ｔにおいてもジャンパ線Ｊが引っかかることなく、第２ガイドレールＧ２を通って、Ｕスリットハウジング１２のジャンパ線出口１２２から出てくる。このように、通線口ユニット１３の仕切り１３２とＵスリットハウジング１２の仕切り２２１との当接部において、Ｕスリットハウジングの仕切り１２１の当接部Ｔは、曲面形状をして、エッジを無くし丸みを持たせているため、ジャンパ線Ｊの被覆が通線口ユニット１３の仕切り１３２とＵスリットハウジング１２の仕切り１２１との当接部Ｔで引っかかることはなく、スムーズに通過する。そして、Ｕスリットハウジング１２のジャンパ線出口１２２から出てきたジャンパ線を右手で受けて、これをＵスリットハウジング１２のＵスリットへジャンパ線Ｊを圧入してＵスリット端子９への結線が行われる。
【００２４】
図３は本発明に係る通信機器用保安器の組立斜視図である。図３に示すように、保安器サブモジュール１００を１６個段積みにして、ＭＴＧ（ＭＯＵＮＴＩＮＧ）１７、サイドプレート１８、フロントストッパ１９、整線板２０、インデックスホルダ２１、マーキングプレート２２を取付け組立てて、２５６回線収容の通信機器用保安器１０１を形成する。
【００２５】
なお、図４では、試験弾器ユニット３、保安素子４を含む保安器サブモジュールについて説明したが、この保安器サブモジュール１００から試験弾器ユニット３、保安素子４を外して構成することにより、端子板として機能させることもできる。
【００２６】
以上本発明の好ましい実施例について詳述したが、本発明は係る特定の実施形態に限定されるものではなく、特許請求の範囲に記載された本発明の要旨の範囲内において、種々の変形・変更が可能である。
【００２７】
【発明の効果】
以上詳述したところから明らかなように、本発明によれば、ジャンパ線の配線作業を向上できる保安器サブモジュールを提供できる。
【図面の簡単な説明】
【図１】本発明のＵスリットハウジングと通線口ユニットの当接部を示した図である。
【図２】本発明のＵスリットハウジングと通線口ユニットの当接部を拡大して示した図である。
【図３】通信機器用保安器の組立斜視図である。
【図４】保安器サブモジュールを説明するための図である。
【図５】従来のＵスリットハウジングと通線口ユニットの当接部を説明するための図である。
【図６】従来のＵスリットハウジングと通線口ユニットの当接部を拡大して示した図である。
【符号の説明】
１Ａ、１Ｂ  プリント配線板
４  保安素子
９  Ｕスリット端子
１２  Ｕスリットハウジング
１３  通線口ユニット
Ｊ  ジャンパ線
Ｇ１  第１ガイドレール
Ｇ２  第２ガイドレール
【図１】
0003764383.tif 000002
【図２】
0003764383.tif 000003
【図３】
0003764383.tif 000004
【図４】
0003764383.tif 000005
【図５】
0003764383.tif 000006
【図６】
0003764383.tif 000007